(57)【要約】  本出願の実施例はリソースの割り当て方法、端末装置およびネットワーク装置に関する。前記方法は、第１の端末装置が、ネットワーク装置に要求メッセージを送信することであって、前記要求メッセージは、ネットワーク装置が前記第１の端末装置に前記複数のキャリアを割り当てることを要求するために用いられることと、前記第１の端末装置は、前記ネットワーク装置が前記要求メッセージにしたがって送信したリソース構成情報を受信することであって、前記リソース構成情報は、前記ネットワーク装置が前記第１の端末装置に割り当てる第１の伝送リソースを指示するために用いられ、前記第１の伝送リソースは、混合キャリアでのリソースを含むことと、前記第１の端末装置が、前記第１の伝送リソースにしたがって、第２の伝送リソースを決定することと、前記第１の端末装置が、前記第２の伝送リソースによって、第２の端末装置にデータを送信することとを含む。本出願の実施例に係るリソースの割り当て方法、端末装置およびネットワーク装置は、キャリアリソースをより柔軟に割り当て、リソース利用率を改善することができる。
2020537832.tif 000002
【特許請求の範囲】
【請求項１】
リソースの割り当て方法であって、
第１の端末装置が、ネットワーク装置に要求メッセージを送信することであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すことと、
前記第１の端末装置は、前記ネットワーク装置が前記要求メッセージにしたがって送信したリソース構成情報を受信することであって、前記リソース構成情報は、前記ネットワーク装置が前記第１の端末装置に割り当てる第１の伝送リソースを指示するために用いられ、前記第１の伝送リソースは、前記混合キャリアでのリソースを含むことと、
前記第１の端末装置が、前記第１の伝送リソースにしたがって、第２の伝送リソースを決定することと、
前記第１の端末装置が、前記第２の伝送リソースによって、第２の端末装置にデータを送信することと、を含む、前記リソースの割り当て方法。
【請求項２】
前記要求メッセージは、前記共有リソースプール情報および第１の有効時間を含み、前記第１の有効時間は、前記共有リソースプールの有効時間を指示するために用いられる、
請求項１に記載のリソースの割り当て方法。
【請求項３】
前記リソース構成情報は、前記第１の伝送リソースの有効時間を指示するための第２の有効時間を含む、
請求項１または２に記載のリソースの割り当て方法。
【請求項４】
前記共有リソースプール情報は、前記共有リソースプールの時間ドメイン情報を含む、
請求項１ないし３のいずれか一項に記載のリソースの割り当て方法。
【請求項５】
時間ドメインで前記第１の伝送リソースと前記共有リソースプール中のリソースは重ねられない、
請求項１ないし４のいずれか一項に記載のリソースの割り当て方法。
【請求項６】
前記第１の端末装置の送信パワーがプリセットパワーより大きいかまたは等しい場合、前記第２の伝送リソースに含まれる複数のキャリアは時間ドメインで重ねられ、および／または
前記第１の端末装置の送信パワーが前記プリセットパワーより小さい場合、前記第２の伝送リソースに含まれる複数のキャリアは、時間ドメインで重ねられない、
請求項１ないし５のいずれか一項に記載のリソースの割り当て方法。
【請求項７】
前記第１の端末装置が、前記第１の伝送リソースにしたがって、第２の伝送リソースを決定することは、
前記第１の端末装置は、前記第１の伝送リソースで前記第２の伝送リソースを決定することを含む、
請求項１ないし６のいずれか一項に記載のリソースの割り当て方法。
【請求項８】
前記第１の端末装置が、前記第１の伝送リソースにしたがって、第２の伝送リソースを決定することは、
前記第１の端末装置は、前記第１の伝送リソースにしたがって、プリセットルールに応じて前記第２の伝送リソースを決定することであって、前記プリセットルールは、チャネル占有率（ＣＢＲ）結果、前記第２の端末装置とのサービスの優先度および同時に複数のキャリアを送信する前記第１の端末装置の能力のうちの少なくとも１つを含むことを含む、
請求項１ないし６のいずれか一項に記載のリソースの割り当て方法。
【請求項９】
前記方法は、
前記第１の端末装置は、第３の端末装置が前記混合キャリアを含む第３の伝送リソースを使用して送信するデータを受信することをさらに含む、
請求項１ないし８のいずれか一項に記載のリソースの割り当て方法。
【請求項１０】
前記第３の伝送リソースは、前記ネットワーク装置が前記第３の端末装置のために構成したリソースである、
請求項９に記載のリソースの割り当て方法。
【請求項１１】
リソースの割り当て方法であって、
ネットワーク装置が第１の端末装置によって送信される要求メッセージを受信することであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すことと、
前記ネットワーク装置は、前記要求メッセージにしたがって、前記第１の端末装置に前記混合キャリアでのリソースを含む第１の伝送リソースを割り当てることと、
前記ネットワーク装置が、前記第１の端末装置にリソース構成情報を送信することであって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられることと、を含む、前記リソースの割り当て方法。
【請求項１２】
前記要求メッセージは、前記共有リソースプール情報および第１の有効時間を含み、前記第１の有効時間は、前記共有リソースプールの有効時間を指示するために用いられる、
請求項１１に記載のリソースの割り当て方法。
【請求項１３】
前記リソース構成情報は、前記第１の伝送リソースの有効時間を指示するための第２の有効時間を含む、
請求項１１または１２に記載のリソースの割り当て方法。
【請求項１４】
前記共有リソースプール情報は、前記共有リソースプールの時間ドメイン情報を含む、
請求項１１ないし１３のいずれか一項に記載のリソースの割り当て方法。
【請求項１５】
前記要求メッセージは、前記共有リソースプール情報を含み、
前記ネットワーク装置は、前記要求メッセージにしたがって、前記第１の端末装置に第１の伝送リソースを割り当てることは、
前記ネットワーク装置は、前記共有リソースプール情報にしたがって、時間ドメインで前記共有リソースプール中のリソースと重ねられない前記第１の伝送リソースを決定することを含む、
請求項１１ないし１４のいずれか一項に記載のリソースの割り当て方法。
【請求項１６】
端末装置であって、
ネットワーク装置に要求メッセージを送信する送信ユニットであって、前記要求メッセージは、能力情報、集約伝送指示情報、混合キャリア要求情報および共有リソースプール情報のうちの少なくとも１つを含み、前記能力情報は、前記端末装置が複数のキャリアの使用をサポートすることを指示するために用いられ、前記集約伝送指示情報は、前記端末装置が前記複数のキャリアの使用を要求するために用いられ、前記複数のキャリア要求情報は、前記ネットワーク装置が前記端末装置に前記複数のキャリアを割り当てることを要求するために用いられ、前記共有リソースプール情報は、前記端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す送信ユニットと、
前記ネットワーク装置が前記要求メッセージにしたがって送信されたリソース構成情報を受信する受信ユニットであって、前記リソース構成情報は、前記ネットワーク装置が前記端末装置に割り当てる第１の伝送リソースを指示するために用いられ、前記第１の伝送リソースは、前記混合キャリアでのリソースを含む受信ユニットと、
前記第１の伝送リソースにしたがって、第２の伝送リソースを決定する決定ユニットと、を含み、
前記送信ユニットは、さらに、前記第２の伝送リソースによって第２の端末装置にデータを送信する、前記端末装置。
【請求項１７】
前記要求メッセージは、前記共有リソースプール情報および第１の有効時間を含み、前記第１の有効時間は、前記共有リソースプールの有効時間を指示するために用いられる、
請求項１６に記載の端末装置。
【請求項１８】
前記リソース構成情報は、前記第１の伝送リソースの有効時間を指示するための第２の有効時間を含む、
請求項１６または１７に記載の端末装置。
【請求項１９】
前記共有リソースプール情報は、前記共有リソースプールの時間ドメイン情報を含む、
請求項１６ないし１８のいずれか一項に記載の端末装置。
【請求項２０】
時間ドメインで前記第１の伝送リソースと前記共有リソースプール中のリソースは重ねられない、
請求項１６ないし１９のいずれか一項に記載の端末装置。
【請求項２１】
前記端末装置の送信パワーがプリセットパワーより大きいかまたは等しい場合、前記第２の伝送リソースに含まれる複数のキャリアは時間ドメインで重ねられ、および／または
前記端末装置の送信パワーが前記プリセットパワーより小さい場合、前記第２の伝送リソースに含まれる複数のキャリアは、時間ドメインで重ねられない、
請求項１６ないし２０のいずれか一項に記載の端末装置。
【請求項２２】
前記決定ユニットは、具体的に、
前記第１の伝送リソースで前記第２の伝送リソースを決定する、
請求項１６ないし２１のいずれか一項に記載の端末装置。
【請求項２３】
前記決定ユニットは、具体的に、
前記第１の伝送リソースにしたがって、プリセットルールに応じて前記第２の伝送リソースを決定するように構成され、前記プリセットルールは、チャネル占有率（ＣＢＲ）結果、前記第２の端末装置とのサービスの優先度および前記端末装置の同時に複数のキャリアを送信する能力のうちの少なくとも１つを含む、
請求項１６ないし２１のいずれか一項に記載の端末装置。
【請求項２４】
前記受信ユニットは、さらに、
第３の端末装置が第３の伝送リソースを使用して送信されるデータを受信するように構成され、前記第３の伝送リソースは、前記混合キャリアを含む、
請求項１６ないし２３のいずれか一項に記載の端末装置。
【請求項２５】
前記第３の伝送リソースは、前記ネットワーク装置が前記第３の端末装置のために構成したリソースである、
請求項２４に記載の端末装置。
【請求項２６】
ネットワーク装置であって、
第１の端末装置によって送信される要求メッセージを受信する受信ユニットであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す受信ユニットと、
前記要求メッセージにしたがって、前記第１の端末装置に第１の伝送リソースを割り当てる処理ユニットであって、前記第１の伝送リソースは、前記混合キャリアでのリソースを含む処理ユニットと、
前記第１の端末装置にリソース構成情報を送信する送信ユニットであって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられる送信ユニットと、を含む、前記ネットワーク装置。
【請求項２７】
前記要求メッセージは、前記共有リソースプール情報および第１の有効時間を含み、前記第１の有効時間は、前記共有リソースプールの有効時間を指示するために用いられる、
請求項２６に記載のネットワーク装置。
【請求項２８】
前記リソース構成情報は、前記第１の伝送リソースの有効時間を指示するための第２の有効時間を含む、
請求項２６または２７に記載のネットワーク装置。
【請求項２９】
前記共有リソースプール情報は、前記共有リソースプールの時間ドメイン情報を含む、
請求項２６ないし２８のいずれか一項に記載のネットワーク装置。
【請求項３０】
前記要求メッセージは、前記共有リソースプール情報を含み、
前記処理ユニットは、具体的に、
前記共有リソースプール情報にしたがって、時間ドメインで前記共有リソースプール中のリソースと重ねられない前記第１の伝送リソースを決定する、
請求項２６ないし２９のいずれか一項に記載のネットワーク装置。
【発明の詳細な説明】
【技術分野】
【０００１】
本出願は、通信分野に関し、特に、リソースの割り当て方法、端末装置およびネットワーク装置に関する。
【背景技術】
【０００２】
車両ネットワーキング（Ｖ２Ｘ：ｖｅｈｉｃｌｅ  ｔｏ  ｅｖｅｒｙｔｈｉｎｇ）サービスは、様々なサービスタイプを含み、第３世代パートナーシッププロジェクト（３ＧＰＰ：３ｒｄ  ｇｅｎｅｒａｔｉｏｎ  ｐａｒｔｎｅｒｓｈｉｐ  ｐｒｏｊｅｃｔ）のバージョンＲｅｌ−１４において、Ｖ２Ｘサービスは、セキュリティ特性にしたがって、セキュリティ関連サービスおよび非セキュリティ関連サービスにも分類されることができる。３ＧＰＰの新バージョンＲｅｌ−１５では、フォーメーションドライビング（Ｆｏｒｍａｔｉｏｎ  ｄｒｉｖｉｎｇ）、リモートドライビング（Ｒｅｍｏｔｅ  ｄｒｉｖｉｎｇ）、センサーデータ共有などを含む新しいｅＶ２Ｘサービスタイプが導入される。前記ｅＶ２Ｘサービスタイプなどの異なるサービスタイプの場合、３ＧＰＰ  Ｒｅｌ−１５は、専用キャリアのキャリア集約（ＣＡ：ｃａｒｒｉｅｒ  ａｇｇｒｅｇａｔｉｏｎ）メカニズムを介してデータ伝送を実行して、Ｖ２Ｘサービスのスループットと信頼性を向上させることができる。ここで、前記専用キャリアは、異なる端末装置間のサイドリンク（ＳＬ：ｓｉｄｅｌｉｎｋ）を送信するためにのみ使用することができる。ただし、現在、前記専用キャリアのＣＡメカニズムにより、キャリアタイプが制限され、それによりサービスの伝送能力も制限される。
【発明の概要】
【発明が解決しようとする課題】
【０００３】
本出願は、キャリアリソースをより柔軟に割り当て、リソース利用率を改善することができるリソースの割り当て方法、端末装置およびネットワーク装置を提供する。
【課題を解決するための手段】
【０００４】
第１の態様において、第１の端末装置が、ネットワーク装置に要求メッセージを送信することであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すことと、前記第１の端末装置は、前記ネットワーク装置が前記要求メッセージにしたがって送信したリソース構成情報を受信することであって、前記リソース構成情報は、前記ネットワーク装置が前記第１の端末装置に割り当てる第１の伝送リソースを指示するために用いられ、前記第１の伝送リソースは、前記混合キャリアでのリソースを含み、前記第１の端末装置が、前記第１の伝送リソースにしたがって、第２の伝送リソースを決定することと、前記第１の端末装置が、前記第２の伝送リソースによって、第２の端末装置にデータを送信することと、を含む、リソースの割り当て方法を提供する。
【０００５】
したがって、本出願の実施例のリソース割り当て方法において、端末装置が、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【０００６】
第１の態様に合わせて、第１の態様の実現形態において、前記要求メッセージは、前記共有リソースプール情報および第１の有効時間を含み、前記第１の有効時間は、前記共有リソースプールの有効時間を指示するために用いられる。
【０００７】
第１の態様およびその前記実現形態に合わせて、第１の態様の別の実現形態において、前記リソース構成情報は、前記第１の伝送リソースの有効時間を指示するための第２の有効時間を含む。
【０００８】
第１の態様およびその前記実現形態に合わせて、第１の態様の別の実現形態において、前記共有リソースプール情報は、前記共有リソースプールの時間ドメイン情報を含む。
【０００９】
第１の態様およびその前記実現形態に合わせて、第１の態様の別の実現形態において、時間ドメインで前記第１の伝送リソースと前記共有リソースプール中のリソースは重ねられない。
【００１０】
第１の態様およびその前記実現形態に合わせて、第１の態様の別の実現形態において、前記第１の端末装置の送信パワーがプリセットパワーより大きいかまたは等しい場合、前記第２の伝送リソースに含まれる複数のキャリアは時間ドメインで重ねられ、および／または、前記第１の端末装置の送信パワーが前記プリセットパワーより小さい場合、前記第２の伝送リソースに含まれる複数のキャリアは、時間ドメインで重ねられない。
【００１１】
第１の態様およびその前記実現形態に合わせて、第１の態様の別の実現形態において、前記第１の端末装置が、前記第１の伝送リソースにしたがって、第２の伝送リソースを決定することは、前記第１の端末装置が、前記第１の伝送リソースで前記第２の伝送リソースを決定することを含む。
【００１２】
第１の態様およびその前記実現形態に合わせて、第１の態様の別の実現形態において、前記第１の端末装置が、前記第１の伝送リソースにしたがって、第２の伝送リソースを決定することは、前記第１の端末装置が、前記第１の伝送リソースにしたがって、プリセットルールに応じて前記第２の伝送リソースを決定することであって、前記プリセットルールは、チャネル占有率（ＣＢＲ）結果、前記第２の端末装置とのサービスの優先度および同時に複数のキャリアを送信する前記第１の端末装置の能力のうちの少なくとも１つを含むことを含む。
【００１３】
第１の態様およびその前記実現形態に合わせて、第１の態様の別の実現形態において、前記方法は、前記第１の端末装置は、第３の端末装置が前記混合キャリアを含む第３の伝送リソースを使用して送信するデータを受信することをさらに含む。
【００１４】
第１の態様およびその前記実現形態に合わせて、第１の態様の別の実現形態において、前記第３の伝送リソースは、前記ネットワーク装置が前記第３の端末装置のために構成したリソースである。
【００１５】
したがって、本出願の実施例のリソース割り当て方法において、端末装置が、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【００１６】
第２の態様において、ネットワーク装置が第１の端末装置によって送信される要求メッセージを受信することであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すことと、前記ネットワーク装置は、前記要求メッセージにしたがって、前記第１の端末装置に前記混合キャリアでのリソースを含む第１の伝送リソースを割り当てることと、前記ネットワーク装置が、前記第１の端末装置にリソース構成情報を送信することであって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられることと、を含む、リソースの割り当て方法を提供する。
【００１７】
したがって、本出願の実施例のリソース割り当て方法において、ネットワーク装置が、端末装置によって送信された要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【００１８】
第２の態様においてに合わせて、第２の態様の実現形態において、前記要求メッセージは、前記共有リソースプール情報および第１の有効時間を含み、前記第１の有効時間は、前記共有リソースプールの有効時間を指示するために用いられる。
【００１９】
第２の態様およびその前記実現形態に合わせて、第２の態様の別の実現形態において、前記リソース構成情報は、前記第１の伝送リソースの有効時間を指示するための第２の有効時間を含む。
【００２０】
第２の態様およびその前記実現形態に合わせて、第２の態様の別の実現形態において、前記共有リソースプール情報は、前記共有リソースプールの時間ドメイン情報を含む。
【００２１】
第２の態様およびその前記実現形態に合わせて、第２の態様の別の実現形態において、前記要求メッセージは、前記共有リソースプール情報を含み、前記ネットワーク装置が、前記要求メッセージにしたがって、前記第１の端末装置に第１の伝送リソースを割り当てることは、前記ネットワーク装置が、前記共有リソースプール情報にしたがって、時間ドメインで前記共有リソースプール中のリソースと重ねられない前記第１の伝送リソースを決定することを含む。
【００２２】
したがって、本出願の実施例のリソース割り当て方法において、ネットワーク装置が、端末装置によって送信された要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【００２３】
第３の態様において、前記第１の態様または第１の態様の任意の可能な実現形態における方法を実行するための端末装置を提供する。具体的に、前記端末装置は、前記第１の態様または第１の態様の任意の可能な実現形態における方法を実行するユニットを含む。
【００２４】
第４の態様において、前記第２の態様または第２の態様の任意の可能な実現形態における方法を実行するためのネットワーク装置を提供する。具体的に、前記ネットワーク装置は、前記第２の態様または第２の態様の任意の可能な実現形態における方法を実行するユニットを含む。
【００２５】
第５の態様において、記憶ユニットおよびプロセッサを備える端末装置を提供し、前記記憶ユニットは、命令を記憶し、前記プロセッサは、前記メモリに記憶される命令を実行し、そして、当該プロセッサが前記メモリに記憶された命令を実行する場合、前記実行により、前記プロセッサに第１の態様または第１の態様の任意の可能な実現形態における方法を実行させる。
【００２６】
第６の態様において、記憶ユニットおよびプロセッサを含むネットワーク装置を提供し、前記記憶ユニットは、命令を記憶し、前記プロセッサは、前記メモリに記憶される命令を実行し、そして、当該プロセッサが前記メモリに記憶された命令を実行する場合、前記実行により、前記プロセッサに第２の態様または第２の態様の任意の可能な実現形態における方法を実行させる。
【００２７】
第７の態様において、コンピュータプログラムを記憶するためのコンピュータ読み取り可能な媒体を提供し、前記コンピュータプログラムは、第１の態様または第１の態様の任意の可能な実現形態における方法を実行するための命令を含む。
【００２８】
第８の態様において、コンピュータプログラムを記憶するためのコンピュータ読み取り可能な媒体を提供し、前記コンピュータプログラムは、第２の態様または第２の態様の任意の可能な実現形態における方法を実行するための命令を含む。
【００２９】
第９の態様において、命令が含まれるコンピュータプログラム製品を提供し、コンピュータが前記コンピュータプログラム製品の前記命令を動作させる場合、前記コンピュータは、前記第１の態様または第１の態様の任意の可能な実現形態におけるリソースの割り当て方法を実行する。具体的に、前記コンピュータプログラム製品は、前記第３の態様の端末装置で動作されることができる。
【００３０】
第１０の態様において、命令が含まれるコンピュータプログラム製品を提供し、コンピュータが前記コンピュータプログラム製品の前記命令を動作させる場合、前記コンピュータは、前記第２の態様または第２の態様の任意の可能な実現形態におけるリソースの割り当て方法を実行する。具体的に、前記コンピュータプログラム製品は、前記第４の態様のネットワーク装置で動作されることができる。
【図面の簡単な説明】
【００３１】
【図１】本出願の実施例に係るリソースの割り当て方法の例示的なフローチャートである。
【図２】本出願の実施例に係るリソースの割り当て方法の別の例示的なフローチャートである。
【図３】本出願の実施例に係るリソースの割り当て方法のもう１つの例示的なフローチャートである。
【図４】本出願の実施例に係る端末装置の例示的なブロック図である。
【図５】本出願の実施例に係るネットワーク装置の例示的なブロック図である。
【図６】本出願の実施例に係る端末装置の別の例示的なブロック図である。
【図７】本出願の実施例に係るネットワーク装置の別の例示的なブロック図である。
【発明を実施するための形態】
【００３２】
以下、本出願の実施例における技術的解決策を図面を参照して説明する。
【００３３】
本出願の実施例の技術的解決策は、例えば、ロングタームエボリューション（ＬＴＥ：ｌｏｎｇ  ｔｅｒｍ  ｅｖｏｌｕｔｉｏｎ）システム、ＬＴＥ周波数分割二重（ＦＤＤ：ｆｒｅｑｕｅｎｃｙ  ｄｉｖｉｓｉｏｎ  ｄｕｐｌｅｘ）システム、ＬＴＥ時分割二重（ＴＤＤ：Ｔｉｍｅ  Ｄｉｖｉｓｉｏｎ  Ｄｕｐｌｅｘ）、汎用移動通信システム（ＵＭＴＳ：ｕｎｉｖｅｒｓａｌ  ｍｏｂｉｌｅ  ｔｅｌｅｃｏｍｍｕｎｉｃａｔｉｏｎ  ｓｙｓｔｅｍ）未来の第５世代（５Ｇ：５ｔｈ  ｇｅｎｅｒａｔｉｏｎ）システム、即ちニューラジオ（ＮＲ：ｎｅｗ  ｒａｄｉｏ）など様々な通信システムに適用されることができる。
【００３４】
本出願の実施例における端末装置は、ユーザデバイス、アクセス端末、ユーザユニット、ユーザーステーション、移動局、移動局、遠隔局、遠隔端末、移動装置、ユーザ端末、端末、無線通信装置、ユーザエージェントまたはユーザ装置を指し得る。端末装置は、さらに携帯電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）ステーション、携帯情報端末（ＰＤＡ：ｐｅｒｓｏｎａｌ  ｄｉｇｉｔａｌ  ａｓｓｉｓｔａｎｔ）、ワイヤレス通信機能を備えたハンドヘルドデバイス、コンピューティングデバイスまたはワイヤレスモデムに接続されたその他の処理デバイス、車載装置、ウェアラブル装置、未来５Ｇネットワークにおける端末装置または未来進化の公衆陸上移動通信網（ＰＬＭＮ：ｐｕｂｌｉｃ  ｌａｎｄ  ｍｏｂｉｌｅ  ｎｅｔｗｏｒｋ）における端末装置などであることができ、本出願の実施例はこれに対して限定しない。
【００３５】
本出願の実施例におけるネットワーク装置は、端末装置と通信する装置であってもよく、前記ネットワーク装置は、ＬＴＥシステムにおける進化型基地局（ｅＮＢまたはｅＮｏｄｅＢ：ｅｖｏｌｕｔｉｏｎａｌ  ＮｏｄｅＢ）であってもよく、クラウド無線アクセスネットワーク（ＣＲＡＮ：ｃｌｏｕｄ  ｒａｄｉｏ  ａｃｃｅｓｓ  ｎｅｔｗｏｒｋ）シナリオでのワイヤレスコントローラであってもよく、または前記ネットワーク装置は、リレーステーション、アクセスポイント、車載装置、ウェアラブル装置および未来５Ｇネットワークにおけるネットワーク装置（例えば、ｇＮＢ）または未来進化のＰＬＭＮネットワークにおけるネットワーク装置などであってもよく、本出願の実施例は限定されない。
【００３６】
図１は、本出願の実施例に係るリソースの割り当て方法１００の例示的なフローチャートをしめし、前記方法１００は、端末装置によって実行されることができる。図１に示されたように、前記方法１００は、第１の端末装置が、ネットワーク装置に要求メッセージを送信することであって、前記要求メッセージは、能力情報、集約伝送指示情報、混合キャリア要求情報および共有リソースプール情報のうちの少なくとも１つを含むことを含む。
【００３７】
ここで、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリア対応する共有リソースプールを指示するために用いられる。
【００３８】
前記複数のキャリアは、少なくとも２つのタイプのキャリアを含み、前記複数のキャリアの少なくとも２種のキャリアは、混合キャリア（または、Ｕｕキャリアと称する）および前記専用キャリア（または、ＰＣ５キャリアを称する）を含み得、前記混合キャリアは、アップリンク（ＵＬ：ｕｐｌｉｎｋ）、ダウンリンク（ＤＬ：ｄｏｗｎｌｉｎｋ）およびサイドリンクのために使用されることができ、前記専用キャリアは、サイドリンクにのみ使用されることを理解されたい。
【００３９】
前記ＳＬは、異なる端末装置間のデータ伝送を表すことができ、前記ＵＬとＤＬは、端末装置とネットワーク装置間の伝送を表すことができることを理解されたい。
【００４０】
本出願の実施例において、前記混合キャリアのリソースは、ネットワーク装置によって端末装置にリソースの割り当てを行い、前記専用キャリアのリソースは、ネットワーク装置によって割り当てられず、例えば、端末装置による競争などの方式を通じて取得することができる。
【００４１】
混合キャリアは、端末装置のＵＬ送信およびＳＬ送信に使用されることができるが、専用キャリアも、端末装置のＳＬ送信に使用されることができる。したがって、混合キャリアと専用キャリアが時間ドメインで調整することが困難であるが、本出願の実施例の方法１００は、第１の端末装置がネットワーク装置に送信された要求メッセージによって、ネットワーク装置が前記第１の端末装置に混合キャリアリソースを構成するように要求し、また、前記第１の端末装置がネットワーク装置にしたがって構成されたリソースによって、他の端末装置とデータを伝送する混合キャリアのリソースおよび専用キャリアのリソースを決定することにより、混合キャリアおよび専用キャリアのＣＡを実現することができることを理解されたい。
【００４２】
本出願の実施例において、第１の端末装置がネットワーク装置に送信した要求メッセージには、共有リソースプール情報を含むことができ、前記共有リソースプール情報は、前記第１の端末装置の専用キャリアに対応する共有リソースプールを指示するために用いられ、ここで、前記第１の端末装置の専用キャリアは、前記第１の端末装置と他の端末装置間のＳＬのデータの伝送のために用いられる。具体的に、前記共有リソースプール情報は、第１の端末装置の専用キャリアの情報を含むことができ、前記共有リソースプールの時間ドメイン情報を含むこともでき、前記時間ドメイン情報は、前記共有リソースプールの時間ドメインリソースを指示するために用いられる。
【００４３】
選択的に、前記要求メッセージは、共有リソースプール情報を含んでもよく、第１の有効時間を含んでもよく、前記第１の有効時間は、前記第１の端末装置の共有リソースプールの有効時間を指示するためであり得、ネットワーク装置は、前記第１の有効時間にしたがって、前記共有リソースプールの有効期間を決定することができる。
【００４４】
図１に示されたように、前記方法１００は、前記第１の端末装置が、前記ネットワーク装置が前記要求メッセージにしたがって送信したリソース構成情報を受信するステップＳ１２０であって、前記リソース構成情報は、前記ネットワーク装置が前記第１の端末装置に割り当てる第１の伝送リソースを指示するために用いられ、前記第１の伝送リソースは、前記混合キャリアでのリソースを含むステップＳ１２０をさらに含む。
【００４５】
具体的に、第１の端末装置がネットワーク装置に要求メッセージを送信した後、ネットワーク装置は、前記要求メッセージにしたがって、前記第１の端末装置に第１の伝送リソースを構成することができる。前記要求メッセージにしたがって、前記ネットワーク装置は、前記第１の端末装置に混合キャリアでのリソースを含む第１の伝送リソースを構成することができ、前記混合キャリアでのリソースは、準静的な伝送リソースであってもよく、前記混合キャリアでのリソースは、ネットワーク装置が第１の端末装置に構成したリソースプールであってもよく、本出願の実施例はこれに限定されない。
【００４６】
選択的に、前記第１の端末装置は、ネットワーク装置が送信されるリソース構成情報を受信し、前記リソース構成情報は、前記第１の伝送リソースを指示するために使用されてもよい。選択的に、前記リソース構成情報は、さらに、前記第１の伝送リソースの有効時間を指示するために使用されることができる第２の有効時間を含むことができ、第１の端末装置は、前記第２の有効時間にしたがって、前記第１の伝送リソース有効な期間を決定することができる。
【００４７】
図１に示されたように、前記方法１００は、前記第１の端末装置が、前記第１の伝送リソースにしたがって、第２の伝送リソースを決定するＳ１３０と、前記第１の端末装置が、前記第２の伝送リソースによって、第２の端末装置にデータを送信するＳ１４０とをさらに含む。
【００４８】
前記第１の端末装置は、リソース構成情報にしたがって、ネットワーク装置によって割り当てられる第１の伝送リソースを決定することができ、前記第１の伝送リソースにしたがって、前記第１の端末装置と他の端末装置間のデータの伝送のために使用される第２の伝送リソースを決定し、例えば、前記第１の端末装置は、前記第２の伝送リソースを使用して、第２の端末装置にデータを送信することができ、ここで、前記第２の端末装置は、前記第１の端末装置の以外の他の端末装置であることを理解されたい。
【００４９】
選択的に、前記第１の端末装置は、前記第１の伝送リソースで第２の伝送リソースを決定することができる。具体的に、前記第１の端末装置は、ネットワーク装置によって構成される第１の伝送リソースにしたがって、その中で一部または全部のリソースを第２の伝送リソースとして選択することができる。
【００５０】
選択的に、前記第１の端末装置は、さらに、前記第１の伝送リソースにしたがって、プリセットルールに応じて、第２の伝送リソースを決定することができる。具体的に、前記プリセットルールは、チャネル占有率（ＣＢＲ：ｃｈａｎｎｅｌ  ｂｕｓｙ  ｒａｔｉｏ）結果、第２の端末装置とのサービスの優先度および同時に複数のキャリアを送信する第１の端末装置の能力のうちの少なくとも１つであり得る。前記第１の端末装置は、第１の伝送リソースで全部または一部のリソースを選択してから、また一部の前記第１の端末装置の専用キャリアのリソースを選択して、共に第２の伝送リソースとすることができる。本出願の実施例はこれに限定されない。
【００５１】
選択的に、第１の端末装置は、送信パワーにしたがって、前記第２の伝送リソースの時間ドメインリソースを決定することができる。例えば、前記第１の端末装置の送信パワーがプリセットパワーより大きいかまたは等しい場合、前記第１の端末装置によって決定された第２の伝送リソースは時間ドメインで重ねることができ、即ち、前記第２の伝送リソースの複数のキャリアが時間ドメインで重ねられ、前記第１の端末装置の送信パワーが前記プリセットパワーより小さい場合、前記第１の端末装置によって決定された第２の伝送リソースは時間ドメインで重ねられなく、即ち、前記第２の伝送リソースの複数のキャリアは時間ドメインで重ねられない。ここで、前記プリセットパワーは、実際の状況にしたがって、異なる値を設定することができる。本出願の実施例はこれに限定されない。
【００５２】
例えば、前記第１の端末装置は、自体のＵＬおよびＳＬに対応する複数のキャリアの同時に送信する能力、および第２の端末装置とのサービスの優先度にしたがって、ネットワーク装置によって構成された第１の伝送リソースおよび前記第１の端末装置に対応する共有リソースプールにしたがって、複数のターゲットキャリアのリソースを第２の伝送リソースとして選択して、また前記第１の端末装置の送信パワーにしたがって、前記複数のターゲットキャリアが時間ドメインで重ねられるかどうかを決定する。
【００５３】
選択的に、前記方法１００は、第１の端末装置が、第３の伝送リソースを使用して送信されるデータを第３の端末装置が受信することであって、前記第３の伝送リソースは、混合キャリアをさらに含むことができ、前記第３の端末装置は、前記第１の端末装置以外の他の端末装置である。
【００５４】
前記第１の端末装置は、ネットワーク装置のブロードキャストのシステム情報にしたがって、前記第３の伝送リソースを決定してもよく、または事前構成によって前記第３の伝送リソースを決定してもよいことを理解されたい。本出願の実施例はこれに限定されない。
【００５５】
したがって、本出願の実施例のリソースの割り当て方法において、端末装置が、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【００５６】
以上は図１を参照して、本出願の実施例に係るリソースの割り当て方法を端末装置の観点から詳細に説明し、以下は図２を参照して、本出願の実施例に係るリソースの割り当て方法をネットワーク装置の観点から説明する。
【００５７】
図２は、本出願の実施例に係るリソースの割り当て方法２００の例示的なフローチャートを示し、前記方法１００は、ネットワーク装置によって実行されることができる。図２に示されたように、前記方法２００は、ネットワーク装置が第１の端末装置によって送信される要求メッセージを受信するＳ２１０であって、前記要求メッセージは、能力情報、集約伝送指示情報、混合キャリア要求情報および共有リソースプール情報のうちの少なくとも１つを含み、ここで、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すＳ２１０と、前記ネットワーク装置が、前記要求メッセージにしたがって、前記第１の端末装置に前記混合キャリアでのリソースを含む第１の伝送リソースを割り当てるＳ２２０と、前記ネットワーク装置が、前記第１の端末装置にリソース構成情報を送信するＳ２３０であって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられるＳ２３０と、を含む。
【００５８】
したがって、本出願の実施例のリソースの割り当て方法において、ネットワーク装置が、端末装置によって送信された要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【００５９】
選択的に、前記要求メッセージは、前記共有リソースプール情報および第１の有効時間を含み、前記第１の有効時間は、前記共有リソースプールの有効時間を指示するために用いられる。
【００６０】
選択的に、前記リソース構成情報は、前記第１の伝送リソースの有効時間を指示するための第２の有効時間を含む。
【００６１】
選択的に、前記共有リソースプール情報は、前記共有リソースプールの時間ドメイン情報を含む。
【００６２】
選択的に、前記要求メッセージは、前記共有リソースプール情報を含み、前記ネットワーク装置は、前記要求メッセージにしたがって、前記第１の端末装置に第１の伝送リソースを割り当てることは、前記ネットワーク装置が、前記共有リソースプール情報にしたがって、時間ドメインで前記共有リソースプール中のリソースと重ねられない前記第１の伝送リソースを決定することを含む。
【００６３】
前記方法２００におけるネットワーク装置は、方法１００のネットワーク装置に対応することができ、方法２００における第１の端末装置は、方法１００における第１の端末装置に対応することができることを理解されたい。ここでは再度説明しない。
【００６４】
したがって、本出願の実施例のリソースの割り当て方法において、ネットワーク装置が、端末装置によって送信された要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【００６５】
以上は図１ないし図２を参照して、本出願の実施例に係るリソースの割り当て方法を端末装置およびネットワーク装置の観点からそれぞれ詳細に説明し、以下は図３を参照して、本出願の実施例に係るリソースの割り当て方法を各装置の相互作用の観点から説明する。
【００６６】
図３は、本出願の実施例に係るリソースの割り当て方法３００の例示的なフローチャートを示した。図３に示されたように、前記方法３００は、端末装置（Ｖ−ＵＥ）がネットワーク装置（ｅＮＢ／ｇＮＢ）に要求メッセージを送信するＳ３１０であって、前記要求メッセージは、能力情報、集約伝送指示情報、混合キャリア要求情報および共有リソースプール情報のうちの少なくとも１つを含むことができるＳ３１０を含む。
【００６７】
ここで、前記能力情報は、前記端末装置が複数のキャリアの使用をサポートすることを指示するために用いられ、前記集約伝送指示情報は、前記端末装置が前記複数のキャリアの使用を要求するために用いられ、前記複数のキャリア要求情報は、前記ネットワーク装置が前記端末装置に前記複数のキャリアを割り当てることを要求するために用いられ、前記共有リソースプール情報は、前記端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す。
【００６８】
Ｓ３２０において、ネットワーク装置は、要求メッセージにしたがって、端末装置に第１の伝送リソースを割り当て、端末装置にリソース構成情報を送信し、前記リソース構成情報は、第１の伝送リソースを指示するために用いられる。
【００６９】
前記第１の伝送リソースは、混合キャリアのリソースを含むことができることを理解されたい。
【００７０】
選択的に、ネットワーク装置は、端末装置との間のＵｕインターフェイスを介して前記リソース構成情報を送信することができる。
【００７１】
Ｓ３３０において、端末装置は、リソース構成情報にしたがって、ネットワーク装置によって割り当てられた第１の伝送リソースを決定し、前記第１の伝送リソースにしたがって、第２の伝送リソースを決定することができ、前記第２の伝送リソースは、混合キャリアおよび専用キャリアを含み得る複数のキャリアを含むことができる。
【００７２】
端末装置は、特定時間内の専用キャリアおよび混合キャリアを選択して、第２の伝送キャリアに行うことができることを理解されたい。例えば、前記第１の端末装置の送信パワーがプリセットパワーより大きいかまたは等しい場合、前記第１の端末装置によって決定された第２の伝送リソースは時間ドメインで重ねることができ、即ち、前記第２の伝送リソースの複数のキャリアが時間ドメインで重ねられ、前記第１の端末装置の送信パワーが前記プリセットパワーより小さい場合、前記第１の端末装置によって決定された第２の伝送リソースは時間ドメインで重ねられなく、即ち、前記第２の伝送リソースの複数のキャリアは時間ドメインで重ねられない。
【００７３】
前記端末装置は、前記第２の伝送リソースによって、他の端末装置にデータを送信することができ、前記他の端末装置は、前記第１の端末装置以外の他の任意の端末装置であり得ることを理解されたい。
【００７４】
Ｓ３４０において、端末装置は、ネットワーク装置にリソース使用情報を送信し、前記リソース使用情報によって、ネットワーク装置に前記端末装置の専用キャリアの使用情况を報告することができる。
【００７５】
したがって、本出願の実施例のリソースの割り当て方法において、端末装置が、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【００７６】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【００７７】
以上は図１ないし図３を参照して、本出願の実施例に係るリソースの割り当て方法を詳細に説明し、以下は図４ないし図７を参照して、本出願の実施例に係るリソース割り当ての装置を説明する。
【００７８】
図４に示されたように、本出願の実施例に係る端末装置４００は、送信ユニット４１０、受信ユニット４２０および決定ユニット４３０を含む。
【００７９】
具体的に、送信ユニット４１０は、ネットワーク装置に要求メッセージを送信するためであって、前記要求メッセージは、能力情報、集約伝送指示情報、混合キャリア要求情報および共有リソースプール情報のうちの少なくとも１つを含み、前記能力情報は、前記端末装置が複数のキャリアの使用をサポートすることを指示するために用いられ、前記集約伝送指示情報は、前記端末装置が前記複数のキャリアの使用を要求するために用いられ、前記複数のキャリア要求情報は、前記ネットワーク装置が前記端末装置に前記複数のキャリアを割り当てることを要求するために用いられ、前記共有リソースプール情報は、前記端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す。受信ユニット４２０は、前記ネットワーク装置が前記要求メッセージにしたがって送信されたリソース構成情報を受信するためであって、前記リソース構成情報は、前記ネットワーク装置が前記端末装置に割り当てる第１の伝送リソースを指示するために用いられ、前記第１の伝送リソースは、前記混合キャリアでのリソースを含む。決定ユニット４３０は、前記第１の伝送リソースにしたがって、第２の伝送リソースを決定するためであり、前記送信ユニット４１０は、さらに、前記第２の伝送リソースによって第２の端末装置にデータを送信するためである。
【００８０】
したがって、本出願の実施例の端末装置において、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【００８１】
選択的に、前記要求メッセージは、前記共有リソースプール情報および第１の有効時間を含み、前記第１の有効時間は、前記共有リソースプールの有効時間を指示するために用いられる。
【００８２】
選択的に、前記リソース構成情報は、前記第１の伝送リソースの有効時間を指示するための第２の有効時間を含む。
【００８３】
選択的に、前記共有リソースプール情報は、前記共有リソースプールの時間ドメイン情報を含む。
【００８４】
選択的に、時間ドメインで前記第１の伝送リソースと前記共有リソースプール中のリソースは重ねられない。
【００８５】
選択的に、前記端末装置の送信パワーがプリセットパワーより大きいかまたは等しい場合、前記第２の伝送リソースに含まれる複数のキャリアは時間ドメインで重ねられ、および／または、前記端末装置の送信パワーが前記プリセットパワーより小さい場合、前記第２の伝送リソースに含まれる複数のキャリアは、時間ドメインで重ねられない。
【００８６】
選択的に、前記決定ユニット４３０は、具体的に、前記第１の伝送リソースで前記第２の伝送リソースを決定するためである。
【００８７】
選択的に、前記決定ユニット４３０は、具体的に、前記第１の伝送リソースにしたがって、プリセットルールに応じて前記第２の伝送リソースを決定するためであって、前記プリセットルールは、チャネル占有率（ＣＢＲ）結果、前記第２の端末装置とのサービスの優先度および前記端末装置の同時に複数のキャリアを送信する能力のうちの少なくとも１つを含む。
【００８８】
選択的に、前記受信ユニット４２０は、さらに、第３の端末装置が第３の伝送リソースを使用して送信されるデータを受信するためであって、前記第３の伝送リソースは、前記混合キャリアを含む。
【００８９】
選択的に、前記第３の伝送リソースは、前記ネットワーク装置が前記第３の端末装置のために構成したリソースである。
【００９０】
本出願の実施例に係る端末装置４００は、本出願の実施例における方法１００に対応して実行することができ、そして端末装置４００における各ユニットの前記操作および他の操作および／または機能は、それぞれ図１ないし図３における各方法の端末装置の対応するプロセスを実現するために用いられることを理解されたい。簡潔性のために、ここでは再度説明しない。
【００９１】
したがって、本出願の実施例の端末装置において、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【００９２】
図５に示されたように、本出願の実施例に係るネットワーク装置５００は、受信ユニット５１０、処理ユニット５２０および送信ユニット５３０を含む。
【００９３】
具体的に、受信ユニット５１０は、第１の端末装置によって送信される要求メッセージを受信するためであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す。処理ユニット５２０は、前記要求メッセージにしたがって、前記第１の端末装置に第１の伝送リソースを割り当てるためであって、前記第１の伝送リソースは、前記混合キャリアでのリソースを含む。送信ユニット５３０は、前記第１の端末装置にリソース構成情報を送信するためであって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられる。
【００９４】
したがって、本出願の実施例のネットワーク装置において、端末装置によって送信される要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【００９５】
選択的に、前記要求メッセージは、前記共有リソースプール情報および第１の有効時間を含み、前記第１の有効時間は、前記共有リソースプールの有効時間を指示するために用いられる。
【００９６】
選択的に、前記リソース構成情報は、前記第１の伝送リソースの有効時間を指示するための第２の有効時間を含む。
【００９７】
選択的に、前記共有リソースプール情報は、前記共有リソースプールの時間ドメイン情報を含む。
【００９８】
選択的に、前記要求メッセージは、前記共有リソースプール情報を含み、前記処理ユニット５２０は、具体的に、前記共有リソースプール情報にしたがって、時間ドメインで前記共有リソースプール中のリソースと重ねられない前記第１の伝送リソースを決定するためである。
【００９９】
本出願の実施例に係るネットワーク装置５００は、本出願の実施例における方法２００に対応して実行することができ、そしてネットワーク装置５００における各ユニットの前記操作および他の操作および／または機能は、それぞれ図１至図３における各方法のネットワーク装置の対応するプロセスを実現するために用いられることを理解されたい。簡潔性のために、ここでは繰り返さない。
【０１００】
したがって、本出願の実施例のネットワーク装置において、端末装置によって送信される要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【０１０１】
図６は、本出願の実施例に係る端末装置６００の例示的なブロック図を示し、図６に示されたように、前記端末装置６００は、プロセッサ６１０およびトランシーバ６２０を含み、プロセッサ６１０は、トランシーバ６２０に接続され、選択的に、前記端末装置６００は、さらに、メモリ６３０を含み、メモリ６３０は、プロセッサ６１０に接続される。ここで、プロセッサ６１０、メモリ６３０およびトランシーバ６２０間は内部接続経路を介してお互いに通信して、制御および／またはデータ信号を伝送し、前記メモリ６３０は、命令を記憶するために使用されることができ、前記プロセッサ６１０は、トランシーバ６２０を制御して情報または信号を送信するように、前記メモリ６３０に記憶された命令を実行するために使用され、前記トランシーバ６２０は、ネットワーク装置に要求メッセージを送信するためであって、前記要求メッセージは、能力情報、集約伝送指示情報、混合キャリア要求情報および共有リソースプール情報のうちの少なくとも１つを含み、前記能力情報は、前記端末装置が複数のキャリアの使用をサポートすることを指示するために用いられ、前記集約伝送指示情報は、前記端末装置が前記複数のキャリアの使用を要求するために用いられ、前記複数のキャリア要求情報は、前記ネットワーク装置が前記端末装置に前記複数のキャリアを割り当てることを要求するために用いられ、前記共有リソースプール情報は、前記端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す。前記トランシーバ６２０は、さらに、前記ネットワーク装置が前記要求メッセージによって送信されるリソース構成情報を受信するためであって、前記リソース構成情報は、前記ネットワーク装置が前記端末装置に割り当てる第１の伝送リソースを指示するために用いられ、前記第１の伝送リソースは、前記混合キャリアでのリソースを含む。決定ユニット４３０は、前記第１の伝送リソースにしたがって、第２の伝送リソースを決
定するためであって、前記プロセッサ６１０は、前記第２の伝送リソースによって第２の端末装置にデータを送信するために用いられる。
【０１０２】
したがって、本出願の実施例の端末装置において、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【０１０３】
選択的に、一実施例として、前記要求メッセージは、前記共有リソースプール情報および第１の有効時間を含み、前記第１の有効時間は、前記共有リソースプールの有効時間を指示するために用いられる。
【０１０４】
選択的に、一実施例として、前記リソース構成情報は、前記第１の伝送リソースの有効時間を指示するための第２の有効時間を含む。
【０１０５】
選択的に、一実施例として、前記共有リソースプール情報は、前記共有リソースプールの時間ドメイン情報を含む。
【０１０６】
選択的に、一実施例として、時間ドメインで前記第１の伝送リソースと前記共有リソースプール中のリソースは重ねられない。
【０１０７】
選択的に、一実施例として、前記端末装置の送信パワーがプリセットパワーより大きいかまたは等しい場合、前記第２の伝送リソースに含まれる複数のキャリアは時間ドメインで重ねられ、および／または、前記端末装置の送信パワーが前記プリセットパワーより小さい場合、前記第２の伝送リソースに含まれる複数のキャリアは、時間ドメインで重ねられない。
【０１０８】
選択的に、一実施例として、前記プロセッサ６１０は、前記第１の伝送リソースで前記第２の伝送リソースを決定する。
【０１０９】
選択的に、一実施例として、前記プロセッサ６１０は、前記第１の伝送リソースにしたがって、プリセットルールに応じて前記第２の伝送リソースを決定するためであって、前記プリセットルールは、チャネル占有率（ＣＢＲ）結果、前記第２の端末装置とのサービスの優先度および前記端末装置の同時に複数のキャリアを送信する能力のうちの少なくとも１つを含む。
【０１１０】
選択的に、一実施例として、前記トランシーバ６２０は、第３の端末装置が第３の伝送リソースを使用して送信されるデータを受信するためであって、前記第３の伝送リソースは、前記混合キャリアを含む。
【０１１１】
選択的に、一実施例として、前記第３の伝送リソースは、前記ネットワーク装置が前記第３の端末装置のために構成したリソースである。
【０１１２】
本出願の実施例に係る端末装置６００は、本出願の実施例における端末装置４００に対応することができ、本出願の実施例に係る方法１００における対応する本体に対応して実行することができ、そして、端末装置６００における各ユニットの前記操作および他の操作および／または機能は、それぞれ図１至図３における各方法の端末装置の対応するプロセスを実現するために用いられることを理解されたい。簡潔性のために、ここでは繰り返さない。
【０１１３】
したがって、本出願の実施例の端末装置において、ネットワーク装置に送信された要求メッセージによって、ネットワーク装置に混合キャリアでのリソースを割り当てることを要求することにより、端末装置が、混合キャリアと専用キャリアでのリソースを同時に利用して他の端末装置にデータを送信することができるため、リソースの柔軟な構成を実現し、リソースの利用率を改善する。
【０１１４】
図７は、本出願の実施例に係るネットワーク装置７００の例示的なブロック図を示し、図７に示されたように、前記ネットワーク装置７００は、プロセッサ７１０およびトランシーバ７２０を含み、プロセッサ７１０は、トランシーバ７２０に接続され、選択的に、前記ネットワーク装置７００は、メモリ７３０をさらに含み、メモリ７３０は、プロセッサ７１０に接続される。ここで、プロセッサ７１０、メモリ７３０およびトランシーバ７２０間は内部接続経路を介してお互いに通信して、制御および／またはデータ信号を伝送し、前記メモリ７３０は、命令を記憶するために使用されることができ、前記プロセッサ７１０は、トランシーバ７２０を制御して情報または信号を送信するように、前記メモリ７３０に記憶された命令を実行するために使用され、前記トランシーバ７２０は、第１の端末装置によって送信される要求メッセージを受信するためであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す。前記プロセッサ７１０は、前記要求メッセージにしたがって、前記第１の端末装置に第１の伝送リソースを割り当てるためであって、前記第１の伝送リソースは、前記混合キャリアでのリソースを含む。前記トランシーバ７２０は、さらに、前記第１の端末装置にリソース構成情報を送信するためであって、前記リソース構成情報は、前記第１の伝送リソースを指示
するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられる。
【０１１５】
したがって、本出願の実施例のネットワーク装置において、端末装置によって送信される要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【０１１６】
選択的に、一実施例として、前記要求メッセージは、前記共有リソースプール情報および第１の有効時間を含み、前記第１の有効時間は、前記共有リソースプールの有効時間を指示するために用いられる。
【０１１７】
選択的に、一実施例として、前記リソース構成情報は、前記第１の伝送リソースの有効時間を指示するための第２の有効時間を含む。
【０１１８】
選択的に、一実施例として、前記共有リソースプール情報は、前記共有リソースプールの時間ドメイン情報を含む。
【０１１９】
選択的に、一実施例として、前記要求メッセージは、前記共有リソースプール情報を含み、前記プロセッサ７１０は前記共有リソースプール情報にしたがって、時間ドメインで前記共有リソースプール中のリソースと重ねられない前記第１の伝送リソースを決定する。
【０１２０】
本出願の実施例に係るネットワーク装置７００は、本出願の実施例におけるネットワーク装置５００に対応することができ、本出願の実施例の方法２００における対応する本体に対応して実行することができ、そして、ネットワーク装置７００における各ユニットの前記操作および他の操作および／または機能は、それぞれ図１ないし図３における各方法のネットワーク装置の対応するプロセスを実現するために用いられることを理解されたい。簡潔性のために、ここでは繰り返さない。
【０１２１】
したがって、本出願の実施例のネットワーク装置において、端末装置によって送信される要求メッセージを受信し、前記要求メッセージにしたがって、端末装置に混合キャリアでのリソースを割り当てることにより、端末装置が、混合キャリアと専用キャリアでのリソースを同時に利用して他の端末装置にデータを送信することができるため、リソースの柔軟な構成を実現し、リソースの利用率を改善する。
【０１２２】
本出願の前記方法の実施例は、プロセッサに適用されてもよく、またはプロセッサによって実現されてもよいことに留意されたい。プロセッサは、信号処理機能を備える集積回路チップであることができる。実現プロセスにおいて、前記方法の実施例の各ステップは、プロセッサにおけるハードウェアの集積論理回路またはソフトウェアの形によって実現することができる。前述したプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアデバイスなどであってもよい。前述したプロセッサは、本出願の実施例における開示される各方法、ステップおよび論理ブロック図を実現または実行することができる。汎用プロセッサは、マイクロプロセッサであってもよく、または前記プロセッサは任意の従来のプロセッサなどであってもよい。本出願の実施例に開示された方法のステップに合わせて、ハードウェア復号化プロセッサに直接に具現されることができ、または復号化プロセッサにおけるハードウェアおよびソフトウェアモジュールの組み合わせによって実行されてもよい。ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなど本分野の従来の記憶媒体に配置されることができる。前記記憶媒体はメモリに配置され、プロセッサがメモリ内の情報を読み取って、そのハードウェアと組み合わせて前記方法のステップを完成する。
【０１２３】
本出願の実施例におけるメモリは、揮発性メモリまたは非揮発性メモリであってもよく、または揮発性および非揮発性メモリ両者の両方を含んでもよいことを理解されたい。ここで、非揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ｒｏｍ）、消去可能なプログラム可能な読み取り専用メモリ（ＥＰＲＯＭ：ｅｒａｓａｂｌｅ  ＰＲＯＭ）、電気的消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュ（Ｅｘｔｅｒｎａｌ  ｃａｃｈｅ）として、ランダムアクセスメモリ（ＲＡＭ：ｒａｎｄｏｍ  ａｃｃｅｓｓ  ｍｅｍｏｒｙ）であってもよい。例示的であるが限定的な説明ではないが、例えば、スタティックランダムアクセスメモリ（ＳＲＡＭ：ｓｔａｔｉｃ  ＲＡＭ）、ダイナミックランダムアクセスメモリ（ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、強化された同期ダイナミックランダムアクセスメモリ（ＥＳＤＲＡＭ：ｅｎｈａｎｃｅｄ  ＳＤＲＡＭ）、ダイナミックランダムアクセスメモリの同期接続（ＳＬＤＲＡＭ：ｓｙｎｃｈｌｉｎｋ  ＤＲＡＭ）およびダイレクトメモリバスランダムアクセスメモリ（ＤＲ  ＲＡＭ：ｄｉｒｅｃｔ  ｒａｍｂｕｓ  ＲＡＭ）など様々な形のＲＡＭを使用することができる。本明細書で説明するシステムおよび方法のメモリは、これらおよび任意の他の適切なタイプのメモリを含むがこれに限定されないことを意図することに留意されたい。
【０１２４】
当業者は、本明細書で開示された実施例で説明された各例示のユニットおよびアルゴリズムステップに合わせて、電子ハードウェア、またはコンピュータソフトウェアおよび電子ハードウェアの組み合わせによって実現することができることを理解するであろう。これらの機能がハードウェアで実行されるかソフトウェアで実行されるかは、技術的解決策の特定の応用および設計の制約条件に依存する。専門技術者は、各特定の応用に対して異なる方法を使用して説明された機能を実現することができるが、このような実現は本出願の範囲を超えると見なされるべきではない。
【０１２５】
当業者は、説明の便宜上および簡潔さのために、前記説明されたシステム、装置およびユニットの具体的な作業プロセスは、前述の方法の実施例における対応するプロセスを参照することができることを明確に理解することができ、詳細はここでは再度説明しない。
【０１２６】
本出願によって提供されるいくつかの実施例では、開示されたシステム、装置および方法は、他の方法で実現され得ることを理解されたい。例えば、上記で説明された装置の実施例は単なる例示的であり、例えば、前記ユニットの分割は論理的な機能の分割に過ぎない。実際の実現の際に、例えば、複数のユニットまたはコンポーネントを組み合わせたり、または別のシステムに統合されたり、または一部の特徴は無視するか実行しない等、別の分割方法が存在することができる。加えて、表示または議論される相互結合または直接結合または通信接続は、いくつかのインターフェイス、装置またはユニットを介した間接な結合または通信接続であり得、電気的、機械的または他の形態であり得る。
【０１２７】
前記個別の部品として説明されるユニットは、物理的に分離される場合とされない場合があり、ユニットとして表示される部品は、物理ユニットである場合とそうでない場合がある。即ち、ある場所に位置するか、または複数のネットワークユニットに分散されることもできる。実際のニーズにしたがって、その中のユニットの一部または全部を選択して本実施例の技術案の目的を実現することができる。
【０１２８】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０１２９】
前記機能は、ソフトウェア機能ユニットの形で実装され、独立した製品として販売または使用される場合、１つのコンピュータ読み取り可能な取記憶媒体に記憶することができる。このような理解に基づいて、本出願の技術的解決策は、本質でまたは先行技術に対して貢献のある部分または当該技術の解決策の一部は、ソフトウェア製品の形で具現されることができ、当該コンピュータソフトウェア製品は、１つの記憶媒体に記憶されて、一台のコンピュータ装置（パーソナルコンピュータ、サーバ、またはネットワークデバイスなどであリ得る）が本出願の各実施例に記載の方法の全部または一部のステップ実行させるために、いくつかの命令を含む。上記した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０１３０】
上記の説明は本出願の具体的な実施形態に過ぎず、本出願の保護範囲はそれに限定せず、当業者が本出願に開示された技術的範囲内で容易に想到し得る変更または置換は、すべて本出願の保護範囲内に含まれるべきある。したがって、本出願の保護範囲は、特許請求の保護範囲を基準とするべきである。
【図１】
2020537832.tif 000003
【図２】
2020537832.tif 000004
【図３】
2020537832.tif 000005
【図４】
2020537832.tif 000006
【図５】
2020537832.tif 000007
【図６】
2020537832.tif 000008
【図７】
2020537832.tif 000009
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
リソースの割り当て方法であって、
第１の端末装置が、ネットワーク装置に要求メッセージを送信することであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すことと、
前記第１の端末装置は、前記ネットワーク装置が前記要求メッセージにしたがって送信したリソース構成情報を受信することであって、前記リソース構成情報は、前記ネットワーク装置が前記第１の端末装置に割り当てる第１の伝送リソースを指示するために用いられ、前記第１の伝送リソースは、前記混合キャリアでのリソースを含むことと、
前記第１の端末装置が、前記第１の伝送リソースにしたがって、第２の伝送リソースを決定することと、
前記第１の端末装置が、前記第２の伝送リソースによって、第２の端末装置にデータを送信することと、を含む、前記リソースの割り当て方法。
【請求項２】
前記要求メッセージは、前記共有リソースプール情報および第１の有効時間を含み、前記第１の有効時間は、前記共有リソースプールの有効時間を指示するために用いられる、
請求項１に記載のリソースの割り当て方法。
【請求項３】
前記リソース構成情報は、前記第１の伝送リソースの有効時間を指示するための第２の有効時間を含む、
請求項１または２に記載のリソースの割り当て方法。
【請求項４】
前記共有リソースプール情報は、前記共有リソースプールの時間ドメイン情報を含む、
請求項１ないし３のいずれか一項に記載のリソースの割り当て方法。
【請求項５】
時間ドメインで前記第１の伝送リソースと前記共有リソースプール中のリソースは重ねられない、
請求項１ないし４のいずれか一項に記載のリソースの割り当て方法。
【請求項６】
前記第１の端末装置の送信パワーがプリセットパワーより大きいかまたは等しい場合、前記第２の伝送リソースに含まれる複数のキャリアは時間ドメインで重ねられ、および／または
前記第１の端末装置の送信パワーが前記プリセットパワーより小さい場合、前記第２の伝送リソースに含まれる複数のキャリアは、時間ドメインで重ねられない、
請求項１ないし５のいずれか一項に記載のリソースの割り当て方法。
【請求項７】
前記第１の端末装置が、前記第１の伝送リソースにしたがって、第２の伝送リソースを決定することは、
前記第１の端末装置は、前記第１の伝送リソースで前記第２の伝送リソースを決定すること、
または、
前記第１の端末装置は、前記第１の伝送リソースにしたがって、プリセットルールに応じて前記第２の伝送リソースを決定することであって、前記プリセットルールは、チャネル占有率（ＣＢＲ）結果、前記第２の端末装置とのサービスの優先度および同時に複数のキャリアを送信する前記第１の端末装置の能力のうちの少なくとも１つを含むことを含む、
請求項１ないし６のいずれか一項に記載のリソースの割り当て方法。
【請求項８】
前記方法は、
前記第１の端末装置は、第３の端末装置が前記混合キャリアを含む第３の伝送リソースを使用して送信するデータを受信することをさらに含む、
請求項１ないし７のいずれか一項に記載のリソースの割り当て方法。
【請求項９】
リソースの割り当て方法であって、
ネットワーク装置が第１の端末装置によって送信される要求メッセージを受信することであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示すことと、
前記ネットワーク装置は、前記要求メッセージにしたがって、前記第１の端末装置に前記混合キャリアでのリソースを含む第１の伝送リソースを割り当てることと、
前記ネットワーク装置が、前記第１の端末装置にリソース構成情報を送信することであって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられることと、を含む、前記リソースの割り当て方法。
【請求項１０】
端末装置であって、
ネットワーク装置に要求メッセージを送信する送信ユニットであって、前記要求メッセージは、能力情報、集約伝送指示情報、混合キャリア要求情報および共有リソースプール情報のうちの少なくとも１つを含み、前記能力情報は、前記端末装置が複数のキャリアの使用をサポートすることを指示するために用いられ、前記集約伝送指示情報は、前記端末装置が前記複数のキャリアの使用を要求するために用いられ、前記複数のキャリア要求情報は、前記ネットワーク装置が前記端末装置に前記複数のキャリアを割り当てることを要求するために用いられ、前記共有リソースプール情報は、前記端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す送信ユニットと、
前記ネットワーク装置が前記要求メッセージにしたがって送信されたリソース構成情報を受信する受信ユニットであって、前記リソース構成情報は、前記ネットワーク装置が前記端末装置に割り当てる第１の伝送リソースを指示するために用いられ、前記第１の伝送リソースは、前記混合キャリアでのリソースを含む受信ユニットと、
前記第１の伝送リソースにしたがって、第２の伝送リソースを決定する決定ユニットと、を含み、
前記送信ユニットは、さらに、前記第２の伝送リソースによって第２の端末装置にデータを送信する、前記端末装置。
【請求項１１】
前記要求メッセージは、前記共有リソースプール情報および第１の有効時間を含み、前記第１の有効時間は、前記共有リソースプールの有効時間を指示するために用いられる、
請求項１０に記載の端末装置。
【請求項１２】
前記リソース構成情報は、前記第１の伝送リソースの有効時間を指示するための第２の有効時間を含む、
請求項１０または１１に記載の端末装置。
【請求項１３】
前記共有リソースプール情報は、前記共有リソースプールの時間ドメイン情報を含む、
請求項１０ないし１２のいずれか一項に記載の端末装置。
【請求項１４】
端末装置であって、
プロセッサと、
情報送信のためにプロセッサによって制御可能なトランシーバと、を備え、
前記プロセッサは請求項１から８のいずれか一項に記載のリソースの割り当て方法の動作を実施するように構成される、前記端末装置。
【請求項１５】
ネットワーク装置であって、
第１の端末装置によって送信される要求メッセージを受信する受信ユニットであって、前記要求メッセージは、能力情報、集約伝送指示情報、混合キャリア要求情報および共有リソースプール情報のうちの少なくとも１つを含み、前記能力情報は、前記第１の端末装置が複数のキャリアの使用をサポートすることを指示するために用いられ、前記集約伝送指示情報は、前記第１の端末装置が前記複数のキャリアの使用を要求するために用いられ、前記複数のキャリア要求情報は、前記ネットワーク装置が前記第１の端末装置に前記複数のキャリアを割り当てることを要求するために用いられ、前記共有リソースプール情報は、前記第１の端末装置の専用キャリアに対応する共有リソースプールを指示するために用いられ、前記複数のキャリアは、少なくとも２つのタイプのキャリアを含み、前記複数のキャリアは、混合キャリアおよび前記専用キャリアを含み、前記混合キャリアは、アップリンク、ダウンリンクおよびサイドリンクに使用されることができ、前記専用キャリアは、サイドリンクにのみ使用され、前記サイドリンクは、異なる端末装置間のデータ伝送を示す受信ユニットと、
前記要求メッセージにしたがって、前記第１の端末装置に第１の伝送リソースを割り当てる処理ユニットであって、前記第１の伝送リソースは、前記混合キャリアでのリソースを含む処理ユニットと、
前記第１の端末装置にリソース構成情報を送信する送信ユニットであって、前記リソース構成情報は、前記第１の伝送リソースを指示するために用いられ、前記第１の伝送リソースは、前記第１の端末装置が第２の伝送リソースを決定するために用いられ、前記第２の伝送リソースは、前記第１の端末装置が第２の端末装置にデータを伝送するために用いられる送信ユニットと、を含む、前記ネットワーク装置。
【手続補正２】
【補正対象書類名】図面
【補正対象項目名】図６
【補正方法】変更
【補正の内容】
【図６】
2020537832.tif 000010
【手続補正３】
【補正対象書類名】図面
【補正対象項目名】図７
【補正方法】変更
【補正の内容】
【図７】
2020537832.tif 000011
【国際調査報告】
2020537832.tif 000012
2020537832.tif 000013
2020537832.tif 000014
2020537832.tif 000015
2020537832.tif 000016
2020537832.tif 000017